(57)【要約】【課題】  レンズの度数を簡単に変更することができる遠近両用メガネを提供する。【解決手段】  レンズ１１を支持するレンズ枠１２に回動自在に取り付けられた枠脚１３に、遠近両用メガネ１１の装着状態における傾斜を検知する傾斜検知手段１５と、傾斜検知手段１５で検知された傾斜に応じてレンズ１１の度数を変更するレンズ度数制御部１６と、傾斜検知手段１５による傾斜の有無の判定値を設定するスライドスイッチ１７とを備え、傾斜検知手段１５およびレンズ度数制御部１６に、枠脚１４に備えた充電式ボタン型電池１８で電力を供給する。【選択図】  図１
2007052116.tif 000002
【特許請求の範囲】
【請求項１】
両眼前面に度数が可変のレンズを装備した遠近両用メガネにおいて、
装着状態における傾斜を検知する傾斜検知手段と、
前記傾斜検知手段で検知された傾斜に応じて、前記レンズの度数を変更するレンズ度数制御部とを備えたことを特徴とする遠近両用メガネ。
【請求項２】
前記レンズ度数制御部は、レンズの度数を一旦変更した後所定時間は前記傾斜検知手段での検知結果の如何によらず変更後のレンズの度数を継続するものであることを特徴とする請求項１記載の遠近両用メガネ。
【請求項３】
前記傾斜検知手段は、ヒステリシスをもって傾斜を検知するものであることを特徴とする請求項１記載の遠近両用メガネ。
【請求項４】
前記傾斜検知手段による傾斜の有無の判定値を設定する判定値設定手段を備えたことを特徴とする請求項１記載の遠近両用メガネ。
【請求項５】
前記レンズは、該レンズの下側の部分のみ度数が変化するものであることを特徴とする請求項１記載の遠近両用メガネ。
【請求項６】
前記レンズは、該レンズの中央領域を除く周辺領域のみ度数が変化するものであることを特徴とする請求項１記載の遠近両用メガネ。
【請求項７】
この遠近両用メガネに電力を供給する電源部を備えたことを特徴とする請求項１〜６記載の遠近両用メガネ。
【請求項８】
この遠近両用メガネが補聴器を備えたことを特徴とする請求項７記載の遠近両用メガネ。
【請求項９】
この遠近両用メガネが、音楽記憶用のメモリと、イヤホーン接続ジャックと、該メモリから音楽信号を読み出して該イヤホーン接続ジャックに接続されたイヤホーンに伝達する読出回路とを備えたことを特徴とする請求項８記載の遠近両用メガネ。
【請求項１０】
この遠近両用メガネが、音楽信号を受け取る受信端子と、該受信端子から受け取った音楽信号を前記メモリに書き込む書込回路を備えたことを特徴とする請求項９記載の遠近両用メガネ。
【請求項１１】
前記受信端子が、この遠近両用メガネを非装着時に所定のクレードルに接続することにより音楽信号を受信するものであること、および／あるいは前記遠近両用メガネに充電可能であることを特徴とする請求項７〜１０記載の遠近両用メガネ。
【発明の詳細な説明】
【技術分野】
【０００１】
本発明は、両眼前面に度数が可変のレンズを装備した遠近両用メガネに関する。
【背景技術】
【０００２】
従来より、高齢化に伴う目の焦点調整能力の低下を補う手段の１つに、両眼前面に度数が可変のレンズを装備した遠近両用メガネがある。このような遠近両用メガネにおいて、重ね合わされた２枚のレンズ間に形成されたレンズ状の空間を有するとともにメガネフレームの領域に液溜め部を有し、さらにそれら空間および液溜め部を自在に移動する液体を備えた遠近両用メガネが提案されている（特許文献１参照）。この遠近両用メガネは、上記空間に液体を移動した場合は遠距離の物体を視認するのに適した遠視用の度数に変更され、また上記液溜め部に液体を移動した場合は近距離の物体を視認するのに適した近視用の度数に変更される。
【特許文献１】特開２００３−５７６０７号公報
【発明の開示】
【発明が解決しようとする課題】
【０００３】
しかし、上述した特許文献１に提案された遠近両用メガネでは、上記空間あるいは上記液溜め部に液体を移動するにあたり、その遠近両用メガネを一旦外してメガネフレームを傾ける必要があり、従ってレンズの度数を変更するにあたり手間がかかるという問題がある。
【０００４】
本発明は、上記事情に鑑み、レンズの度数を簡単に変更することができる遠近両用メガネを提供することを目的とする。
【課題を解決するための手段】
【０００５】
上記目的を達成する本発明の遠近両用メガネは、両眼前面に度数が可変のレンズを装備した遠近両用メガネにおいて、
装着状態における傾斜を検知する傾斜検知手段と、
上記傾斜検知手段で検知された傾斜に応じて、上記レンズの度数を変更するレンズ度数制御部とを備えたことを特徴とする。
【０００６】
本発明の遠近両用メガネは、装着状態における傾斜に応じてレンズの度数を変更するものであるため、例えばこの遠近両用メガネを装着した状態で近距離の物体を視認するために頭を前方に傾斜した場合には近視用の度数に変更し、遠距離の物体を視認するために頭を水平にした場合には遠視用の度数に変更することができる。従って、遠近両用メガネを装着したままの状態でレンズの度数を簡単に変更することができる。
【０００７】
ここで、上記レンズ度数制御部は、レンズの度数を一旦変更した後所定時間は上記傾斜検知手段での検知結果の如何によらず変更後のレンズの度数を継続するものであることが好ましい。
【０００８】
本発明の遠近両用メガネを装着した状態で頻繁に動いた場合、その都度レンズの度数が変更されたのでは眼が疲れる恐れがある。そこで、このようにすると、この遠近両用メガネを装着した状態で頻繁に動いた場合であっても、一旦変更した度数が所定時間だけレンズ度数制御部で継続されるため、眼の疲れを抑えることができる。
【０００９】
また、上記傾斜検知手段は、ヒステリシスをもって傾斜を検知するものであることも好ましい態様である。
【００１０】
このようにすると、この遠近両用メガネを装着した状態で頻繁に動いた場合であっても、傾斜検知手段で検知された傾斜がそのヒステリシス分だけ継続されるため、やはり眼の疲れを抑えることができる。
【００１１】
さらに、上記傾斜検知手段による傾斜の有無の判定値を設定する判定値設定手段を備えたものであることも好ましい。
【００１２】
このようにすると、傾斜に応じてレンズの度数を自在に設定することができ、従って様々なユーザの視力に見合った遠近両用メガネを提供することができる。
【００１３】
また、上記レンズは、そのレンズの下側の部分のみ度数が変化するものであってもよい。
【００１４】
このようにすると、頭を前方に傾斜した場合に近距離の物体を拡大して視認することができ、従って遠視用のメガネとして用いることができる。
【００１５】
さらに、上記レンズは、そのレンズの中央領域を除く周辺領域のみ度数が変化するものであってもよい。
【００１６】
このようにすると、頭を前方や後方に傾斜した場合に近距離の物体を拡大して視認することができ、従ってやはり遠視用のメガネとして用いることができる。
【００１７】
また、この遠近両用メガネに電力を供給する電源部を備えたものであることも好ましい。
【００１８】
このようにすると、外部から電力を供給する必要はなく、従ってコンパクトな遠近両用メガネを実現することができる。
【００１９】
さらに、この遠近両用メガネが補聴器を備えたものであってもよい。
【００２０】
このようにすると、遠近両用メガネの機能に加えて補聴機能も付加されるため、高齢者用の遠近両用メガネとしての付加価値を高めることができる。
【００２１】
また、この遠近両用メガネが、音楽記憶用のメモリと、イヤホーン接続ジャックと、そのメモリから音楽信号を読み出してそのイヤホーン接続ジャックに接続されたイヤホーンに伝達する読出回路とを備えたものであることも好ましい。
【００２２】
このようにすると、遠近両用メガネを装着した状態で音楽を楽しむことができ、従って遠近両用メガネとしての付加価値を高めることができる。
【００２３】
さらに、この遠近両用メガネが、音楽信号を受け取る受信端子と、その受信端子から受け取った音楽信号を上記メモリに書き込む書込回路を備えたものであることも好ましい。
【００２４】
このようにすると、遠近両用メガネを装着した状態で所望の音楽を楽しむことができる。
【００２５】
また、上記受信端子が、この遠近両用メガネを非装着時に所定のクレードルに接続することにより音楽信号を受信するものであること、および／あるいは上記遠近両用メガネに充電可能であることが好ましい。
【００２６】
このようにすると、この遠近両用メガネにパーソナルコンピュータ等から所望の音楽の信号を送信して上記メモリに書き込むことができる。また、この受信端子に、遠近両用メガネの充電用端子としての役割を担わせると、新たに充電用の端子を設ける場合と比較し、コストアップを抑えることができる。
【発明の効果】
【００２７】
本発明の遠近両用メガネによれば、レンズの度数を簡単に変更することができる。
【発明を実施するための最良の形態】
【００２８】
以下、本発明の実施形態について説明する。
【００２９】
図１は、本発明の第１実施形態の遠近両用メガネの斜視図、図２は、図１に示す遠近両用メガネの構成を示す図である。
【００３０】
本発明の第１実施形態の遠近両用メガネ１は、両眼前面に度数が可変のレンズ１１を装備した遠近両用メガネである。この遠近両用メガネ１には、図１に示すように、レンズ１１を支持するレンズ枠１２と、そのレンズ枠１２に回動自在に取り付けられた枠脚１３および枠脚１４が備えられている。
【００３１】
枠脚１３には、図１および図２に示すように、この遠近両用メガネ１１の装着状態における傾斜を検知する傾斜検知手段１５が備えられている。この傾斜検知手段１５は、ヒステリシスをもって傾斜を検知する。傾斜検知手段１５の構成としては、発光素子と受光素子からなるフォトインタラプタと、それら発光素子と受光素子との間に揺動可能に設けられた扇状の遮光板もしくは発光素子と受光素子との間に設けられた傾斜面に配備された球体とからなるものがある。
【００３２】
また、枠脚１３には、傾斜検知手段１５で検知された傾斜に応じて、レンズ１１の度数を変更するレンズ度数制御部１６が備えられている。ここで、レンズ度数制御部１６は、レンズ１１の度数を一旦変更した後所定時間は傾斜検知手段１５での検知結果の如何によらず変更後のレンズ１１の度数を継続する。このような傾斜検知手段１５，レンズ度数制御部１６を備えているため、この遠近両用メガネ１を装着した状態で頻繁に動いた場合であっても、傾斜検知手段１５で検知された傾斜がヒステリシス分だけ継続されるとともにレンズ度数制御部１６で一旦変更した度数が所定時間だけ継続されるため、眼の疲れを抑えることができる。
【００３３】
さらに、枠脚１３には、傾斜検知手段１５による傾斜の有無の判定値を設定するスライドスイッチ１７（本発明にいう判定値設定手段の一例に相当）が備えられている。レンズ度数制御部１６は、詳細には、このスライドスイッチ１７で設定された判定値に基づいてレンズ１１の度数を変更する。具体的には、スライドスイッチ１７が図１に示す位置Ｐ１に移動された場合は、大きな傾斜であっても小さなレンズ度数に変更される。また、位置Ｐ２に移動された場合は、通常の傾斜に見合ったレンズ度数に変更される。さらに、位置Ｐ３に移動された場合は、小さな傾斜であっても大きなレンズ度数に変更される。従って、ユーザは、自分の視力に見合った位置にスライドスイッチ１７を移動することにより、物体を確実に視認することができる。
【００３４】
一方、枠脚１４には、充電式ボタン型電池１８（本発明にいう電源部の一例に相当）が備えられている。この電池１８は、枠脚１３，１４内およびレンズ枠１２内に配備されたケーブル（図示せず）を経由して、傾斜検知手段１５およびレンズ度数制御部１６に電力ＶＢを供給する。ここで、レンズ度数制御部１６で度数が可変されるレンズ１１の構造について説明する。
【００３５】
図３は、図１，図２に示すレンズの構造を示す図である。
【００３６】
図３に示すレンズ１１には、光透過性の容器１１＿１，１１＿２と、透明電極１１＿３，１１＿４と、液晶１１＿５とが備えられている。液晶１１＿５は、液晶分子１１＿５ａを有する。また、透明電極１１＿３，１１＿４には、レンズ度数制御部１６からの電圧が印加される。
【００３７】
このレンズ１１では、透明電極１１＿３，１１＿４に印加される電圧の大きさに応じて、液晶１１＿５が有する液晶分子１１＿５ａの配向方向を制御して液晶分子１１＿５ａのみかけの屈折率を変化させることにより、レンズ１１の焦点距離を、入射光Ａに対する値Ｆ１から値２まで連続的に変化させることができる。このようにして、レンズ度数制御部１６でレンズ１１の度数を変更する。
【００３８】
図４は、本発明の第２実施形態の遠近両用メガネの斜視図である。
【００３９】
尚、図１に示す遠近両用メガネ１の構成要素と同じ構成要素には同一の符号を付し、異なる点について説明する。
【００４０】
図４に示す遠近両用メガネ２は、図１に示す遠近両用メガネ１と比較し、レンズ１１がレンズ２１に置き換えられている点が異なっている。このレンズ２１は、このレンズ２１の下側の部分２１ａのみ度数が変化するものである。具体的には、この遠近両用メガネ２を装着した状態で頭を前方に傾斜した場合、レンズ２１の部分２１ａのみ度数が大きくなるように変更される。このため、近距離の物体を拡大して視認することができ、従って遠視用のメガネとして好適に用いることができる。
【００４１】
図５は、本発明の第３実施形態の遠近両用メガネの斜視図である。
【００４２】
尚、図１に示す遠近両用メガネ１の構成要素と同じ構成要素には同一の符号を付し、異なる点について説明する。
【００４３】
図５に示す遠近両用メガネ３は、図１に示す遠近両用メガネ１と比較し、レンズ１１がレンズ３１に置き換えられている点が異なっている。このレンズ３１は、このレンズ３１の中央領域を除く周辺領域３１ａのみ度数が変化するものである。具体的には、この遠近両用メガネ３を装着した状態で頭を前方や後方に傾斜した場合、レンズ３１の周辺領域３１ａのみ度数が大きくなるように変更される。このため、やはり近距離の物体を拡大して視認することができ、従って遠視用のメガネとして好適に用いることができる。
【００４４】
図６は、本発明の第４実施形態の遠近両用メガネの斜視図である。
【００４５】
尚、図１に示す遠近両用メガネ１の構成要素と同じ構成要素には同一の符号を付し、異なる点について説明する。
【００４６】
図６に示す遠近両用メガネ４は、図１に示す遠近両用メガネ１と比較し、補聴器４１が追加されている点が異なっている。このように、この遠近両用メガネ４では、遠近両用メガネの機能に加えて補聴機能も備えられているため、高齢者用の遠近両用メガネとして付加価値が高められている。
【００４７】
図７は、本発明の第５実施形態の遠近両用メガネおよびクレードルの斜視図、図８は、図７に示す遠近両用メガネの構成図である。
【００４８】
尚、図１に示す遠近両用メガネ１の構成要素と同じ構成要素には同一の符号を付し、異なる点について説明する。
【００４９】
図７に示す遠近両用メガネ５を構成する枠脚１４には、図８にも示すように、音楽記憶用のメモリ５１と、イヤホーン接続ジャック５２と、メモリ５１から音楽信号を読み出してイヤホーン接続ジャック５２に接続されたイヤホーン１００に伝達する読出回路５３とが備えられている。
【００５０】
また、この枠脚１４には、音楽信号を受け取る受信端子５４と、受信端子５４から受け取った音楽信号をメモリ５１に書き込む書込回路５５と、＋の電源端子５６とが備えられている。また、この枠脚１４には、楽音をスキップするための楽音スキップ用スイッチ５８も備えられている。
【００５１】
一方、枠脚１３には、−の電源端子５７が備えられている。ここで、受信端子５４は、この遠近両用メガネ５を非装着時にクレードル２００に接続することにより音楽信号を受信する端子である。また、電源端子５６，５７は、この遠近両用メガネ５を非装着時にクレードル２００に接続することにより充電式ボタン型電池１８を充電するための端子である。クレードル２００については図９を参照して説明する。
【００５２】
図９は、図７に示すクレードルの概略構成図である。
【００５３】
図９に示すクレードル２００には、ＡＣ／ＤＣ変換器２０１と、充電回路２０２と、バネ性の電源端子２０３，２０４とが備えられている。ＡＣ／ＤＣ変換器２０１は、電源電圧（ＡＣ１００Ｖ）を入力して所定の直流電圧（ＤＣ電圧）に変換する。充電回路２０２は、ＡＣ／ＤＣ変換器２０１からのＤＣ電圧を入力して電源端子２０３，２０４を経由し、さらに遠近両用メガネ５に備えられた電源端子５６，５７を経由して電池１８を充電する。
【００５４】
また、このクレードル２００には、パーソナルコンピュータ等に備えられたＵＳＢ（Ｕｎｉｖｅｒｓａｌ  Ｓｅｒｉａｌ  Ｂｕｓ）端子からの音楽信号を入力するためのＵＳＢコネクタ２０５と、そのＵＳＢコネクタ２０５に接続されて音楽信号を遠近両用メガネ５に備えられた受信端子５４を経由してメモリ５１に書き込むための送信端子２０６が備えられている。
【００５５】
この遠近両用メガネ５では、この遠近両用メガネ５を装着した状態で音楽を楽しむことができるとともに、この遠近両用メガネ５を非装着時にクレードル２００に接続することにより、この遠近両用メガネ５にパーソナルコンピュータ等から所望の音楽の信号を送信することができる。従って、遠近両用メガネとしての付加価値が一層高められている。
【００５６】
尚、ここでは、遠近両用メガネ５に電源端子５６，５７を備えた例で説明したが、受信端子５４に上記電源端子５６，５７の役割を担わせてもよい。このようにすると、コストアップを抑えることができる。
【００５７】
また、この遠近両用メガネ５に、図６に示す補聴器４１を備えてもよい。このようにすると、遠近両用メガネの機能に加えて補聴機能および音楽機能が備えられるため、高齢者用の遠近両用メガネとしての付加価値をさらに高めることができる。
【図面の簡単な説明】
【００５８】
【図１】本発明の第１実施形態の遠近両用メガネの斜視図である。
【図２】図１に示す遠近両用メガネの構成を示す図である。
【図３】図１，図２に示すレンズの構造を示す図である。
【図４】本発明の第２実施形態の遠近両用メガネの斜視図である。
【図５】本発明の第３実施形態の遠近両用メガネの斜視図である。
【図６】本発明の第４実施形態の遠近両用メガネの斜視図である。
【図７】本発明の第５実施形態の遠近両用メガネおよびクレードルの斜視図である。
【図８】図７に示す遠近両用メガネの構成図である。
【図９】図７に示すクレードルの概略構成図である。
【符号の説明】
【００５９】
１，２，３，４，５  遠近両用メガネ
１１，２１，３１  レンズ
１１＿１，１１＿２  容器
１１＿３，１１＿４  透明電極
１１＿５  液晶
１１＿５ａ  液晶分子
１２  レンズ枠
１３，１４  枠脚
１５  傾斜検知手段
１６  レンズ度数制御部
１７  スライドスイッチ
１８  電池
２１ａ  レンズの部分
３１ａ  レンズの周辺領域
４１  補聴器
５１  メモリ
５２  イヤホーン接続ジャック
５３  読出回路
５４  受信端子
５５  書込回路
５６，５７，２０３，２０４  電源端子
５８  楽音スキップ用スイッチ
１００  イヤホーン
２００  クレードル
２０１  ＡＣ／ＤＣ変換器
２０２  充電回路
２０５  ＵＳＢコネクタ
２０６  送信端子
【図１】
2007052116.tif 000003
【図２】
2007052116.tif 000004
【図３】
2007052116.tif 000005
【図４】
2007052116.tif 000006
【図５】
2007052116.tif 000007
【図６】
2007052116.tif 000008
【図７】
2007052116.tif 000009
【図８】
2007052116.tif 000010
【図９】
2007052116.tif 000011